(57)【特許請求の範囲】
【請求項１】
埋込型の配線器具用に規格化されている取付枠に３個まで一の方向に並べて取り付けることができる単位寸法の１個分の寸法に形成して成る器体備えるとともに、
前記一の方向において背向する一対の側面上部にそれぞれ張り出す一対の張出部を有する形状に形成されるタイマブロックと、この両側にそれぞれ配置される一対の端子ブロックと、前記タイマブロックによって作動され前記一対の端子ブロック間を導通させる開閉接点機構とを前記器体内に備え、
前記器体は、
中央部並びに前記一の方向と直交する方向の両端側に、それぞれ、前記タイマブロックの下部側を収納する中央部の収納凹部並びに前記一対の端子ブロックをそれぞれ収納する両端側の収納凹部を互いに連通した状態で有し、これら各収納凹部の開口した各一面が一の開口面を形成しているほか、前記中央部の収納凹部における前記一の方向と直交する一対の内部側壁面が前記両端側の収納凹部の各々における前記一の方向と直交する一対の内部側壁面と面一になっているボディと、
このボディの前記一の開口面を閉じるように、前記ボディの開口端部の端面全周と当接して、前記ボディから突出した前記タイマブロックの一対の張出部側を覆う形状に形成され、前記一の方向と直交する側壁の厚みが、前記ボディの対応する側壁の厚みよりも薄くなっているカバーと
で構成され、
前記タイマブロックの一対の張出部は、この下端面が前記一の開口面と同一平面にある前記ボディの開口端部の端面内側に当接した状態で、その端面の側壁の厚みよりも薄くなっている前記カバー内に外部に露出することなく収納される
ことを特徴とするタイマスイッチ。
【請求項２】
前記カバーと前記タイマブロックとの間に生じるスペースに前記開閉接点機構を配設して成ることを特徴とする請求項１記載のタイマスイッチ。
【請求項３】
端子板と、この端子板との間で電線を挟持する鎖錠ばねと、この鎖錠ばねを解除方向に撓ませる解除釦とで前記端子ブロックを構成したことを特徴とする請求項１記載のタイマスイッチ。
【発明の詳細な説明】
【０００１】
【発明の属する技術分野】
本発明は、操作後に所定時間が経過すると開閉接点機構が作動されるようにしたタイマスイッチに関するものである。
【０００２】
【従来の技術】
図４は特開平７−５０１１５号公報又は特開平７−５０１１６号公報に記載されている従来のタイマスイッチの一例を示すものである。
このタイマスイッチは、箱形のボディ７０とカバー（図示せず）とを結合して器体が構成されている。ボディ７０には、開口から連通して中央及び両端側に収納凹部７１〜７３が形成されており、中央の収納凹部７１にはタイマブロック７４が、両端側の収納凹部７２，７３には端子７５，７６が例えば落とし込みによって収納されるようになっている。中央の収納凹部７１は両端側の収納凹部７２，７３より深く形成され、かつ、タイマブロック７４を落とし込み収納できる程度のクリアランスをもつ大きさに形成されている。ボディ７０の両側壁部には中央の収納凹部７１と両端側の収納凹部７２，７３との境界を段部７７，７７とし、この一対の段部７７，７７の間に凹溝部７８を形成している。これによって、中央の収納凹部７１は、両端側の収納凹部７２，７３より幅広に形成されている。
【０００３】
【発明が解決しようとする課題】
上記従来例では、タイマブロック７４が収納される中央の収納凹部７１のみが他の収納凹部７２，７３よりも幅広に形成されているため、器体の小型化が難しいという問題がある。
本発明は上記問題点の解決を目的とするものであり、小型化が可能なタイマスイッチを提供しようとするものである。
【０００４】
【課題を解決するための手段】
請求項１の発明は、上記目的を達成するために、埋込型の配線器具用に規格化されている取付枠に３個まで一の方向に並べて取り付けることができる単位寸法の１個分の寸法に形成して成る器体備えるとともに、前記一の方向において背向する一対の側面上部にそれぞれ張り出す一対の張出部を有する形状に形成されるタイマブロックと、この両側にそれぞれ配置される一対の端子ブロックと、前記タイマブロックによって作動され前記一対の端子ブロック間を導通させる開閉接点機構とを前記器体内に備え、前記器体は、中央部並びに前記一の方向と直交する方向の両端側に、それぞれ、前記タイマブロックの下部側を収納する中央部の収納凹部並びに前記一対の端子ブロックをそれぞれ収納する両端側の収納凹部を互いに連通した状態で有し、これら各収納凹部の開口した各一面が一の開口面を形成しているほか、前記中央部の収納凹部における前記一の方向と直交する一対の内部側壁面が前記両端側の収納凹部の各々における前記一の方向と直交する一対の内部側壁面と面一になっているボディと、このボディの前記一の開口面を閉じるように、前記ボディの開口端部の端面全周と当接して、前記ボディから突出した前記タイマブロックの一対の張出部側を覆う形状に形成され、前記一の方向と直交する側壁の厚みが、前記ボディの対応する側壁の厚みよりも薄くなっているカバーとで構成され、前記タイマブロックの一対の張出部は、この下端面が前記一の開口面と同一平面にある前記ボディの開口端部の端面内側に当接した状態で、その端面の側壁の厚みよりも薄くなっている前記カバー内に外部に露出することなく収納されることを特徴とし、タイマブロックが収納される中央部の収納凹部と両端側の収納凹部とが同じ幅となり、器体の小型化が可能となる。また、埋込型の配線器具用の埋込ボックスなどにも容易に取り付けることができ、また、埋込型の配線器具等と取付枠を共用することができ、施工作業が簡素化できる。
【０００５】
請求項２の発明は、請求項１の発明において、カバーとタイマブロックとの間に生じるスペースに開閉接点機構を配設して成ることを特徴とし、カバーとタイマブロックとの間に生じるスペースを有効に利用することで器体の小型化が可能となる。
請求項３の発明は、請求項１の発明において、端子板と、端子板との間で電線を挟持する鎖錠ばねと、鎖錠ばねを解除方向に撓ませる解除釦とで端子ブロックを構成したことを特徴とし、端子板、鎖錠ばね並びに解除釦にて速結端子が形成され、電線の接続作業が簡素化できる。
【０００７】
【発明の実施の形態】
（実施形態１）
図１は本発明の第１の実施形態を示す分解斜視図であり、図２は同じく断面図である。一面が開口した箱形のボディ２と、ボディ２の開口部に被着され組立枠６によってボディ２に結合されるカバー３とで器体１が組み立てられる。この組立枠６には、ＪＩＳ等において埋込型の配線器具用に規格化されている取付枠に取り付けるための一対の係止爪６ａ並びに係合孔６ｂが設けてある。そして、器体１は上記規格化された取付枠に３個まで取り付けることのできる単位寸法の１個分の寸法（１個モジュールと呼ぶ）に形成されており、従来の埋込型の配線器具と取付枠等を共用することができる。
【０００８】
ボディ２には、開口から連通して中央及び両端側に収納凹部７〜９が形成されており、中央部の収納凹部７にはタイマブロック４が、両端側の収納凹部８，９には端子板１３，１４が例えば落とし込みによって収納されるようになっている。中央の収納凹部７は両端側の収納凹部８，９より深く形成されている。また、各収納凹部７〜９の側壁面２ａが同一平面に形成されており、結果として各収納凹部７〜９が同一幅となっている。
【０００９】
タイマブロック４は従来周知の構造を有し、背向する一対の側面上部に張出部１０ａを有する角柱状のケース１０内に、図示しないゼンマイや各種ギヤ並びにカム等が納装されるとともに、ケース１０の上面から、後述するようにハンドル５と連動する入出力軸１０ｂの一部が突出されている。この入出力軸１０ｂにはハンドル操作を容易にするための入出力軸カバー１１が被着されており、ハンドル５を正回転（例えば時計回りに回転）させると、タイマブロック４の機構によりゼンマイが巻かれ、ゼンマイにはハンドル５の正回転量に対応した弾性力が蓄えられるようになっている。図示は省略するが、タイマブロック４にはゼンマイに蓄えられた弾性力を駆動源として入出力軸１０ｂの逆回転を定速度でゆっくりと行わせる機構が備わっている。入出力軸１０ｂには、入出力軸１０ｂの動きと連動するカムが設けられており、このカムによって、ケース１０の側面から進退自在に突出させた突出部１２ａを有する駆動子１２を動かし、後述する接点機構のオン，オフ及び連続操作を行うのである。なお、入出力軸カバー１１と駆動子１２とはともに絶縁性の高い合成樹脂によって形成されるため、絶縁性が充分に確保されている。
【００１０】
上述の如く、タイマブロック４はボディ２中央の収納凹部７に収納されるのであるが、このときケース１０の張出部１０ａ，１０ａの下端面がボディ２の開口端部に当接して張出部１０ａ，１０ａから上の部分でタイマブロック４がボディ２から突出するようになっている。そして、このボディ２から突出したタイマブロック４は、ボディ２に結合されるカバー３によって覆われる。
【００１１】
タイマブロック４が収納された収納凹部７の両側の各収納凹部８，９には、それぞれ端子板１３，１４が収納されている。図２（ａ）に示すように、右側の収納凹部９に収納された端子板１４の上面には、帯板状の導電性ばね材で形成された接触板１５が、ビスあるいはリベットなどで固着されている。なお、固着はスポット溶接のような方法で行ってもよい。接触板１５は、タイマブロック４を横切り、その一端に設けられた可動接点１６が他方の端子板１３の固定接点１７に対向するようになっている。可動接点１６が一端に設けられた接触板１５の可動片１５ａは駆動子１２の突出部１２ａに当接されているため、可動接点１６の動きは駆動子１２の動きと一致し、駆動子１２の図示しない尾部がカムの切欠部に嵌まり込むと駆動子１２がケース１０内に引込み、接触板１５の可動片１５ａに押圧力が加えられなくなって可動接点１６が固定接点１７から解離される。また駆動子１２の尾部がカムの非切欠部周縁上にあるときは、駆動子１２による押圧力によって接触板１５の可動片１５ａが撓められ、可動接点１６は常に固定接点１７と接している。
【００１２】
ここで、可動接点１６が設けられた接触板１５並びに固定接点１７によって開閉接点機構が構成されているが、これら接触板１５、固定接点１７はカバー３とタイマブロック４との間に生じるスペースに配置されている。これにより、器体１の内部スペースを有効に利用して器体１の小型化を図ることができる。
ボディ２の上面開口部はタイマ表示（図示せず）がなされたカバー３で閉じられるが、カバー３の中心に穿設された円形の通し孔３ａから入出力軸カバー１１の先端部が突出している。そして、この先端部にハンドル５が嵌着される。
【００１３】
端子板１３，１４の内側の空間には、タイマスイッチに挿通される電線（図示せず）を端子板１３，１４との間で挟持する鎖錠ばね１８がそれぞれ２つずつ配設されている。鎖錠ばね１８に設けられた鎖錠片１８ａは、端子板１３，１４の端部開口部１３ａ，１４ａに嵌め込まれた解除釦１９と当接している。本実施形態においては、端子１３，１４、鎖錠ばね１８並びに解除釦１９により端子ブロックが構成されている。
【００１４】
端部開口部１３ａ，１４ａの両側に位置する脚片１３ｂ，１４ｂには、鎖錠ばね１８に設けた鎖錠片１８ａ及び接触片１８ｂが対向する。鎖錠片１８ａ及び接触片１８ｂは、弾性を有する導電材料の帯板の両端部を曲成して中央片１８ｃの両端部に形成されている。鎖錠片１８ａは中央片１８ｃとの連結部位から先端縁に向かって脚片１３ｂ，１４ｂに近づく向きに傾斜し、接触片１８ｂは略Ｓ字形に曲成されている。また、中央片１８ｃは略平板状に形成されていて脚片１３ｂ，１４ｂと対向する端子板１３，１４の当接片１３ｃ，１４ｃに当接する。
【００１５】
而して、鎖錠ばね１８の鎖錠片１８ａ及び接触片１８ｂと端子板１３，１４の脚片１３ｂ，１４ｂとの間に、ボディ２の収納凹部８，９の底部に設けた電線挿入孔１ｂ（図２参照）を通して図示しない電線が挿入されると、鎖錠片１８ａの先端が電線に食い込んで抜け止めがなされるとともに、鎖錠片１８ａ及び接触片１８ｂによって電線が脚片１３ｂ，１４ｂに圧接されることにより、電線と端子板１３，１４との導通（接続）が行われる。
【００１６】
また、解除釦１９は、その一部がボディ２の収納凹部８，９の底部に設けた解除釦操作孔２ｃ（図２参照）から露出されている。そして、この解除釦操作孔２ｃを通してドライバ等の工具によって解除釦１９が押操作されると、鎖錠ばね１８の鎖錠片１８ａが圧接解除方向に撓ませられ、鎖錠片１８ａの先端を電線から引き離して端子板１３，１４と電線との接続が解除される。
【００１７】
タイマスイッチは以上のような構成を有している。そこで次に、ハンドル操作とともにその動作について説明する。
まず、ハンドル５を正回転（図１では時計方向の回転）し、カバー３の通し孔３ａ周縁に沿って記されたタイマ時間表示（図示せず）の所望の時間の位置にハンドル５の指針５ａを合わせる。ハンドル５の回転により、入出力軸カバー１１と一体にタイマブロック４の入出力軸１０ｂが回転し、これと連動するゼンマイが弾性力を蓄える方向に締められる。この状態においては、タイマブロック４の駆動子１２がカムによって外側へ押されるため、駆動子１２の突出部１２ａがケース１０から突出して接触板１５の可動片１５ａを撓め、可動接点１６が固定接点１７に圧接されることで２つの端子板１３，１４が接触板１５を介して導通している。
【００１８】
タイマブロック４のゼンマイに蓄えられた弾性力を解放すると、入出力軸１０ｂがゆっくりと定速で逆回転を開始する。その間、駆動子１２はカムによって外側へ押されている。このため、可動接点１６と固定接点１７はオン（閉）のまま保持される。そして、設定されたタイマ時間が経過すると、駆動子１２に作用していたカムの押出力がなくなって駆動子１２の突出部１２ａがケース１０の方へ引込み、そのために接触板１５の可動片１５ａが撓められなくなって可動接点１６が固定接点１７から解離してオフ（開）状態となる。なお、常時オン状態とするには、ハンドル５を手動で逆回転（図１では反時計回りの方向）して「連続」と表示した位置（図示せず）に合わせる。これにより、タイマブロック４のカムが逆回転して駆動子１２を押し出し、可動接点１６が固定接点１７に接触してオン状態となる。このときには、ハンドル５を逆回転しているためにタイマブロック４のゼンマイには弾性力が蓄積されず、ハンドル５を手動で他の位置に操作しない限りは、オン状態が保持される。
【００１９】
上記構成によれば、ボディ２の各収納凹部７〜９の側壁面２ａを同一平面に形成し、結果として各収納凹部７〜９を同一幅としているため、ボディ２（器体１）の小型化が可能となる。なお、本実施形態ではタイマ時間経過後に接点１６，１７間がオフ状態となるような機構について例示したが、固定接点１６と可動接点１７の位置関係やタイマブロック４の駆動子１２の形状等の変更により、タイマ時間経過後にオン状態となるような機構とすることは容易に実現可能である。
【００２０】
（実施形態２）
図３は本発明の第２の実施形態を示す分解斜視図である。本実施形態はボディ２’の形状以外の他の構成は実施形態１と共通であるので、共通する部分には同一の符号を付して説明は省略し、本実施形態の特徴となる部分についてのみ説明する。
【００２１】
本実施形態におけるボディ２’は、外壁面２ｂ’を略同一平面としてボディ２’の小型化を図っている点に特徴がある。すなわち、組立枠６，６の先端部分が係止される係止溝部２ｃ’を除いて、ボディ２’の長手方向に沿った側面（外壁面）２ｂ’，２ｂ’を略同一面に形成してある。
上記構成によれば、ボディ２’の幅寸法を短くして、さらに小型化を図ることができる。なお、本実施形態でもタイマ時間経過後に接点１６，１７間がオフ状態となるような機構について例示したが、固定接点１６と可動接点１７の位置関係やタイマブロック４の駆動子１２の形状等の変更により、タイマ時間経過後にオン状態となるような機構とすることは容易に実現可能である。
【００２２】
【発明の効果】
請求項１の発明は、埋込型の配線器具用に規格化されている取付枠に３個まで一の方向に並べて取り付けることができる単位寸法の１個分の寸法に形成して成る器体備えるとともに、前記一の方向において背向する一対の側面上部にそれぞれ張り出す一対の張出部を有する形状に形成されるタイマブロックと、この両側にそれぞれ配置される一対の端子ブロックと、前記タイマブロックによって作動され前記一対の端子ブロック間を導通させる開閉接点機構とを前記器体内に備え、前記器体は、中央部並びに前記一の方向と直交する方向の両端側に、それぞれ、前記タイマブロックの下部側を収納する中央部の収納凹部並びに前記一対の端子ブロックをそれぞれ収納する両端側の収納凹部を互いに連通した状態で有し、これら各収納凹部の開口した各一面が一の開口面を形成しているほか、前記中央部の収納凹部における前記一の方向と直交する一対の内部側壁面が前記両端側の収納凹部の各々における前記一の方向と直交する一対の内部側壁面と面一になっているボディと、このボディの前記一の開口面を閉じるように、前記ボディの開口端部の端面全周と当接して、前記ボディから突出した前記タイマブロックの一対の張出部側を覆う形状に形成され、前記一の方向と直交する側壁の厚みが、前記ボディの対応する側壁の厚みよりも薄くなっているカバーとで構成され、前記タイマブロックの一対の張出部は、この下端面が前記一の開口面と同一平面にある前記ボディの開口端部の端面内側に当接した状態で、その端面の側壁の厚みよりも薄くなっている前記カバー内に外部に露出することなく収納されるので、タイマブロックが収納される中央の収納凹部と他の収納凹部とが同じ幅となり、器体の小型化が可能となるという効果がある。
【００２３】
請求項２の発明は、前記カバーと前記タイマブロックとの間に生じるスペースに前記開閉接点機構を配設して成るので、カバーとタイマブロックとの間に生じるスペースを有効に利用することで器体の小型化が可能となるという効果がある。
【００２４】
請求項３の発明は、端子板と、この端子板との間で電線を挟持する鎖錠ばねと、この鎖錠ばねを解除方向に撓ませる解除釦とで前記端子ブロックを構成したので、端子板、鎖状ばね並びに解除釦にて速結端子が形成され、電線の接続作業が簡素化できるという効果がある。
【図面の簡単な説明】
【図１】実施形態１を示す分解斜視図である。
【図２】同上を示し、（ａ）は正面断面図、（ｂ）はカバーを取った状態の平面図、（ｃ）は側面断面図である。
【図３】実施形態２を示す分解斜視図である。
【図４】従来例を示す、カバーを取った状態の平面図である。
【符号の説明】
１  器体
２  ボディ
２ａ  側壁面
３  カバー
４  タイマブロック
５  ハンドル
７  収納凹部
８  収納凹部
９  収納凹部
１３  端子板
１４  端子板
１５  接触板
１６  可動接点
１７  固定接点
【図１】
0003707168.tif 000002
【図２】
0003707168.tif 000003
【図３】
0003707168.tif 000004
【図４】
0003707168.tif 000005